(57)【要約】【課題】  簡単かつ精度良く設置することができるとともに、コンクリートの打設によっても埋込用スリーブが脱落したり内勾配にならない埋込用スリーブおよびその設置方法を提供することである。【解決手段】  埋込用スリーブ１は、所定の角度に傾斜したスリーブ２の一端側５に、貫通孔７を開口した内型枠用取付具３が設置され、スリーブ２の他端部６には外部型枠用取付具４が設置され、該外型枠用取付具４の内面には打ち付け前の釘１１が仮設置されたものである。【選択図】図１
2006198932.tif 000002
【特許請求の範囲】
【請求項１】
所定の角度に傾斜したスリーブの一端側に、貫通孔を開口した内型枠用取付具が設置され、スリーブの他端部には外部型枠用取付具が設置され、該外型枠用取付具の内面には打ち付け前の釘が仮設置されたことを特徴とする埋込用スリーブ。
【請求項２】
内型枠用取付具は外部型枠用取付具よりも上側に位置していることを特徴とする請求項１に記載の埋込用スリーブ。
【請求項３】
内型枠の打込治具挿入孔に貫通孔を合致させて内型枠用取付具を内型枠の内面に取り付け、該内型枠を建て込んで鉄筋を組み立て配筋した後、打ち付け前の釘が内面に仮設置された外型枠用取付具をスリーブの一端側に嵌合し、該スリーブの他端側を内型枠の内型枠用取付具に嵌め合わせるとともに、前記外型枠用取付具に当接させて外型枠を建て込んだ後、打込治具用挿入孔から型枠内に差し込んだ打込治具で仮設置の釘を打ち込んで外型枠用取付具を外型枠に固定することを特徴とする埋込用スリーブの設置方法。
【発明の詳細な説明】
【技術分野】
【０００１】
本発明は埋込用スリーブおよびその設置方法に関するものである。
【背景技術】
【０００２】
従来の埋込用スリーブの設置方法として、図５に示す方法がある。（１）に示す方法は、先行して建て込んだ内型枠１８に内型枠用取付具１９を固定し、該内型枠用取付具１９にスリーブ２０を嵌め込んだ後、このスリーブ２０の他端部に外型枠用取付具２１を嵌め込んで結束線２２などで締め付け固定した後、外型枠２３を建て込んで内外型枠１８、２３で挟み込むようにしている。また（２）に示す方法は、先行して建て込んだ内型枠１８に内型枠用取付具１９を固定し、該内型枠用取付具１９にスリーブ２０を嵌め込んだ後、このスリーブ２０の他端部に外型枠２３に設置した外型枠用取付具２１を嵌め込んで内外型枠１８、２３で挟み込むようにしている。また他の埋込用スリーブの設置方法として、例えば特開２００４−２４４９８６号の発明が知られている。
【特許文献１】特開２００４−２４４９８６号公報
【発明の開示】
【発明が解決しようとする課題】
【０００３】
しかし、上記の埋込用スリーブの設置方法は、いずれも手間がかかって精度良く設置することができず、コンクリートの型枠への打設時に埋込用スリーブが脱落する他、外側が浮き上がって内勾配になる恐れがあった。
【０００４】
本発明は、上記のような問題に鑑みてなされたものであり、その目的は、簡単かつ精度良く設置することができるとともに、コンクリートの打設によっても埋込用スリーブが脱落したり内勾配にならない埋込用スリーブおよびその設置方法を提供することである。
【課題を解決するための手段】
【０００５】
以上の課題を解決するための埋込用スリーブは、所定の角度に傾斜したスリーブの一端側に、貫通孔を開口した内型枠用取付具が設置され、スリーブの他端部には外部型枠用取付具が設置され、該外型枠用取付具の内面には打ち付け前の釘が仮設置されたことを特徴とする。また内型枠用取付具は外部型枠用取付具よりも上側に位置していることを含むものである。
【０００６】
また埋込用スリーブの設置方法、内型枠の打込治具挿入孔に貫通孔を合致させて内型枠用取付具を内型枠の内面に取り付け、該内型枠を建て込んで鉄筋を組み立て配筋した後、打ち付け前の釘が内面に仮設置された外型枠用取付具をスリーブの一端側に嵌合し、該スリーブの他端側を内型枠の内型枠用取付具に嵌め合わせるとともに、前記外型枠用取付具に当接させて外型枠を建て込んだ後、打込治具用挿入孔から型枠内に差し込んだ打込治具で仮設置の釘を打ち込んで外型枠用取付具を外型枠に固定することを特徴とする。
【発明の効果】
【０００７】
型枠内に簡単かつ確実にスリーブを固定することができる。また内型枠用取付具が外部型枠用取付具よりも上側に位置していることにより、スリーブの外勾配を確保することができる。コンクリートの型枠内への打設によっても、スリーブのズレや脱落がない。またスリーブから内部への雨水の浸入がない。
【発明を実施するための最良の形態】
【０００８】
以下、本発明の埋込用スリーブおよびその設置方法の実施の形態を図面に基づいて説明する。はじめに埋込用スリーブについて説明し、この後にこの埋込用スリーブの設置方法について説明するが、各実施の形態において、同じ構成は同じ符号を付して説明し、異なった構成にのみ異なった符号を付して説明する。
【０００９】
図１は埋込用スリーブ１の実施の形態を示し、この埋込用スリーブ１は円筒形のスリーブ２と、このスリーブ２の一端部に設置された内型枠用取付具３と、スリーブ２の他端部に設置された外部型枠用取付具４とから構成されている。
【００１０】
このスリーブ２は、図１の（１）に示すように、両端面を垂直にした状態で一端部（内型枠側）が上側に位置し、他端部（外型枠側）が下側に位置するように形成されている。すなわち内型枠側に位置する端部５と外型枠側に位置する端部６とが上下にずれて形成され、型枠内に設置した時に外勾配が形成できるようになっている。
【００１１】
また内型枠側の端部５に設置された内型枠用取付具３は円形板であり、この中央部には貫通孔７が開口され、この貫通孔７を囲むようにして内面側に突出形成された嵌合突起８がスリーブ２内側に嵌合されている。また内型枠用取付具３には嵌合突起８を囲むようにして釘の差込孔９が開口されている。
【００１２】
一方、外型枠側の端部６に設置された外型枠用取付具４も上記と同じ円形板であり、内面側に突出形成された嵌合突起８がスリーブ２内側に嵌合されている。また、この嵌合突起８の内側には釘の仮設置用突部１０が形成され、この中心部に開口された差込孔９に打ち込み前の釘１１が差し込まれている。
【００１３】
したがって、この内型枠用取付具３と外型枠用取付具４とは上下にずれてスリーブ２に設置され、これらを型枠内に設置した時点で埋込用スリーブ１の外勾配が形成されるようになっている。
【００１４】
次に、この埋込用スリーブの設置方法について説明する。この埋込用スリーブ１は、型枠内に設置して壁内に埋め込まれることにより、空調スリーブや換気スリーブなどを形成するものである。
【００１５】
はじめに、図２の（１）に示すように、内型枠１２の建て込み前に、その内面に内型枠用取付具３を設置する。この内型枠１２には内型枠用取付具の貫通孔７と同じ大きさの打込治具用挿入孔１３が開口されているため、これに貫通孔７を合致させた後、差込孔９に差し込んだ釘１１で打ち止めする。よって貫通孔７と合致した打込治具用挿入孔１３から鉄筋などの打込治具が挿入できるようになっている。
【００１６】
次に、上記の内型枠１２を建て込んだ後に、壁の鉄筋（図示せず）を配筋する。そして、図３に示すように、外型枠用取付具４における仮設置用突部１０の差込孔９に釘１１を差し込んで仮設置するとともに、嵌合突起８をスリーブ２の外型枠側の端部６に嵌め込んで外型枠用取付具４を設置する。次に、図４の（１）に示すように、この内型枠側の端部５を内型枠用取付具３に嵌合するとスリーブ２が内型枠１２に外勾配で設置される。
【００１７】
次に、図４の（２）に示すように、外型枠用取付具４に当接させて外型枠１４を建て込んだ後、打込治具用挿入孔１３から鉄筋などの打込治具１５を挿入し、これで仮設置用突部１０に仮設置された釘１１を打ち込んで外型枠用取付具４を外型枠１４に設置する。したがって、内型枠用取付具３が内型枠１２に、また外型枠用取付具４が外型枠１４にそれぞれ固定されて、これらの間にスリーブ２が設置されているため、コンクリートの型枠１６内への打設によって埋込用スリーブ１がずれたりすることがない。
【００１８】
そして、この型枠１６内にコンクリートを打設し、これが硬化して内外型枠１２、１４を解体すると、これらとともに内型枠用取付具３と外型枠用取付具４とがスリーブ２から外される（図示せず）。
【図面の簡単な説明】
【００１９】
【図１】埋込用スリーブであり、（１）は断面図、（２）は（１）のＡ−Ａ線断面図、（３）は（１）のＢ−Ｂ線断面図である。
【図２】（１）は内型枠用取付具を内型枠の内面に設置した断面図、（２）は（１）の正面図である。
【図３】（１）は内型枠用取付具にスリーブを嵌め込む断面図、（２）は（１）のＣ−Ｃ線断面図である。
【図４】（１）は内型枠用取付具にスリーブを嵌め込んだ断面図、（２）は外型枠用取付具を外型枠に取り付ける断面図である。
【図５】（１）および（２）は従来の埋込用スリーブの設置方法の断面図である。
【符号の説明】
【００２０】
１  埋込用スリーブ
２、２０  スリーブ
３、１９  内型枠用取付具
４、２１  外型枠用取付具
５  内型枠側の端部
６  外型枠側の端部
７  貫通孔
８  嵌合突起
９  差込孔
１０  仮設置用突部
１１  釘
１２、１８  内型枠
１３  打込治具用挿入孔
１４、２３  外型枠
１５  打込治具
１６  型枠
２２  結束線
【図１】
2006198932.tif 000003
【図２】
2006198932.tif 000004
【図３】
2006198932.tif 000005
【図４】
2006198932.tif 000006
【図５】
2006198932.tif 000007